(57)【要約】【課題】  収納物と収納物上方の棚板の間に形成された隙間を小さくして収納棚の収納量を多くし、収納物を収納空間から容易に取り出せるようにし、棚板を容易に掃除できるようにする。【解決手段】  前面が開口する収納部１の両内側面にダボ３ａ、３ｂを前後方向に複数設ける。収納部１の両内側面間に架設される棚板２の両側面の前記ダボ３ａ、３ｂに対応する位置に前後方向に長い凹所７ａ、７ｂを形成する。各凹所７ａ、７ｂの上底面部８を前後方向に移動自在にダボ３ａ、３ｂに載置する。棚板２を収納部１内に収納した収納位置から収納部１の前面開口１ｅよりも前方に突出した突出位置まで出入自在にする。【選択図】        図１
2007029394.tif 000002
【特許請求の範囲】
【請求項１】
前面が開口する収納部の両内側面にダボを前後方向に複数設け、収納部の両内側面間に架設される棚板の両側面の前記ダボに対応する位置に前後方向に長い凹所を形成し、各凹所の上底面部を前後方向に移動自在にダボに載置して、棚板を収納部内に収納した収納位置から収納部の前面開口よりも前方に突出した突出位置まで出入自在にしたことを特徴とする収納棚。
【請求項２】
上記凹所の下面に、下方から凹所内にダボを挿入するためのダボ挿入用開口と、棚板を収納位置及び突出位置に配した際におけるダボの下方に位置するダボ抜け防止用横片部を設けて成ることを特徴とする請求項１に記載の収納棚。
【請求項３】
上記ダボを収納部の両内側面の前後方向の二箇所に設けると共に、前側のダボ及び後側のダボを同じ高さに配し、上記凹所を棚板の両側面の前後方向の二箇所に設け、前側の凹所に前側のダボを挿入すると共に後側の凹所に後側のダボを挿入し、各凹所の上底面部において棚板を収納位置に配した際にダボに載置される部分を収納位置ダボ受け部とすると共に、棚板を突出位置に配した際にダボに載置される前記収納位置ダボ受け部よりも後方に位置する部分を突出位置ダボ受け部とし、前側の凹所の収納位置ダボ受け部と後側の凹所の収納位置ダボ受け部を同じ高さに形成し、前側の凹所及び後側の凹所のうち、少なくとも前側の凹所にあっては、突出位置ダボ受け部を収納位置ダボ受け部よりも上方に位置させると共に、上底面部の突出位置ダボ受け部と収納位置ダボ受け部間の部位を後側に行く程上方に位置するように傾斜した傾斜面としたことを特徴とする請求項１又は請求項２に記載の収納棚。
【請求項４】
上記ダボを収納部の両内側面の前後方向の二箇所に設けると共に、前側のダボ及び後側のダボを同じ高さに配し、上記凹所を棚板の両側面の前後方向の二箇所に設け、前側の凹所に前側のダボを挿入すると共に後側の凹所に後側のダボを挿入し、各凹所の上底面部において棚板を収納位置に配した際にダボに載置される部分を収納位置ダボ受け部とすると共に、棚板を突出位置に配した際にダボに載置される前記収納位置ダボ受け部よりも後方に位置する部分を突出位置ダボ受け部とし、前側の凹所の収納位置ダボ受け部と後側の凹所の収納位置ダボ受け部を同じ高さに形成し、前側の凹所及び後側の凹所のうち、少なくとも前側の凹所にあっては、突出位置ダボ受け部を収納位置ダボ受け部よりも下方に位置させると共に、上底面部の突出位置ダボ受け部と収納位置ダボ受け部間の部位を後側に行く程下方に位置するように傾斜した傾斜面としたことを特徴とする請求項１又は請求項２に記載の収納棚。
【発明の詳細な説明】
【技術分野】
【０００１】
本発明は収納棚に関する。
【背景技術】
【０００２】
従来から知られている下駄箱等の収納棚としては例えば特許文献１に示すものがある。この種の収納棚は収納部の両内側面の前後に図１４に示すようなダボ３ａ、３ｂを設け、これらダボ３ａ、３ｂに棚板２の両側面に設けた下方に開口する嵌め込み凹部１４を固定的に嵌め込むことで、棚板２を収納部の両内側面間に架設してあり、これにより収納部内に上下に複数段棚板２を架設し、該棚板２により収納部内の空間を複数の収納空間に仕切っている。
【０００３】
ところで上記収納棚の棚板２間の距離（つまり収納空間の上下長さ）は対象となる靴等の収納物の上下長さよりもかなり長めに設定してある。これは棚板２上に載置された収納物と１段上の棚板２との間に隙間を形成し、該隙間から手を入れて収納空間内の靴等の収納物を掴んで収納空間から容易に取り出せるようにするためであるが、このように棚板２間の距離を長くした場合、収納物と上段の棚板２の間に形成された隙間がデッドスペースとなり、収納棚には少量の収納物しか収納できなくなる。またこの棚板２間の距離は比較的長めに設定してあるとはいえ棚板２間に手を入れて棚板２を掃除することは難しい作業となっている。
【特許文献１】特開平７−２３６５２６号公報
【発明の開示】
【発明が解決しようとする課題】
【０００４】
本発明は上記従来の問題点に鑑みて発明したものであって、収納物と収納物上方の棚板の間に形成された隙間を小さくして収納棚の収納量を多くでき、しかも収納物を収納空間から容易に取り出すことができ、さらには棚板を容易に掃除できる収納棚を提供することを課題とするものである。
【課題を解決するための手段】
【０００５】
上記課題を解決するために本発明に係る収納棚は、前面が開口する収納部１の両内側面にダボ３ａ、３ｂを前後方向に複数設け、収納部１の両内側面間に架設される棚板２の両側面の前記ダボ３ａ、３ｂに対応する位置に前後方向に長い凹所７ａ、７ｂを形成し、各凹所７ａ、７ｂの上底面部８を前後方向に移動自在にダボ３ａ、３ｂに載置して、棚板２を収納部１内に収納した収納位置から収納部１の前面開口１ｅよりも前方に突出した突出位置まで出入自在にしたことを特徴とするものである。この構成により、棚板２を収納部１内に収納した収納位置から収納部１の前面開口１ｅよりも前方に突出した突出位置まで引き出して該棚板２に載置された収納物を取り出したり、この突出位置に引き出した棚板２に収納物を載置した後、収納位置に押し込むことで収納物を収納したりと、上段の棚板２に邪魔されることなく容易に収納物を出し入れでき、またこれにより棚板２間の距離を収納物の高さと略同じ程度に短くすることができて収納棚の収納量を多くできる。また棚板２を収納部１から前方に突出した突出位置に引き出して容易に掃除ができる。
【０００６】
また上記凹所７ａ、７ｂの下面に、下方から凹所７ａ、７ｂ内にダボ３ａ、３ｂを挿入するためのダボ挿入用開口１２と、棚板２を収納位置及び突出位置に配した際におけるダボ３ａ、３ｂの下方に位置するダボ抜け防止用横片部１３を設けることも好ましい。この場合、棚板２が収納位置及び突出位置にある時にはダボ抜け防止用横片部１３により各凹所７ａ、７ｂ内にあるダボ３ａ、３ｂが凹所７ａ、７ｂから抜け出ることを防止できて、棚板２がダボ３ａ、３ｂから外れることを防止できる。また棚板２を収納部１に取付ける際には、棚板２を下方に移動させることでダボ挿入用開口１２を介して下方から各凹所７ａ、７ｂ内に収納部１のダボ３ａ、３ｂを容易に挿入でき、棚板２の収納部１への取り付けが容易になる。
【０００７】
また上記ダボ３ａ、３ｂを収納部１の両内側面の前後方向の二箇所に設けると共に、前側のダボ３ａ及び後側のダボ３ｂを同じ高さに配し、上記凹所７ａ、７ｂを棚板２の両側面の前後方向の二箇所に設け、前側の凹所７ａに前側のダボ３ａを挿入すると共に後側の凹所７ｂに後側のダボ３ｂを挿入し、各凹所７ａ、７ｂの上底面部８において棚板２を収納位置に配した際にダボ３ａ、３ｂに載置される部分を収納位置ダボ受け部９とすると共に、棚板２を突出位置に配した際にダボ３ａ、３ｂに載置される前記収納位置ダボ受け部９よりも後方に位置する部分を突出位置ダボ受け部１０とし、前側の凹所７ａの収納位置ダボ受け部９と後側の凹所７ｂの収納位置ダボ受け部９を同じ高さに形成し、前側の凹所７ａ及び後側の凹所７ｂのうち、少なくとも前側の凹所７ａにあっては、突出位置ダボ受け部１０を収納位置ダボ受け部９よりも上方に位置させると共に、上底面部８の突出位置ダボ受け部１０と収納位置ダボ受け部９間の部位を後側に行く程上方に位置するように傾斜した傾斜面１１とすることも好ましい。このように前側の凹所７ａの上底面部８の突出位置ダボ受け部１０と収納位置ダボ受け部９間の部位を後側に行く程上方に位置するように傾斜した傾斜面１１とすることで、突出位置の棚板２を収納位置の棚板２よりも下方に位置させて、該突出位置の棚板２と１段上の棚板２の間隔を長くでき、収納物を出し入れする際に上段の棚板２が一層邪魔にならないようになり、一層容易に収納物を出し入れできる。
【０００８】
また上記ダボ３ａ、３ｂを収納部１の両内側面の前後方向の二箇所に設けると共に、前側のダボ３ａ及び後側のダボ３ｂを同じ高さに配し、上記凹所７ａ、７ｂを棚板２の両側面の前後方向の二箇所に設け、前側の凹所７ａに前側のダボ３ａを挿入すると共に後側の凹所７ｂに後側のダボ３ｂを挿入し、各凹所７ａ、７ｂの上底面部８において棚板２を収納位置に配した際にダボ３ａ、３ｂに載置される部分を収納位置ダボ受け部９とすると共に、棚板２を突出位置に配した際にダボ３ａ、３ｂに載置される前記収納位置ダボ受け部９よりも後方に位置する部分を突出位置ダボ受け部１０とし、前側の凹所７ａの収納位置ダボ受け部９と後側の凹所７ｂの収納位置ダボ受け部９を同じ高さに形成し、前側の凹所７ａ及び後側の凹所７ｂのうち、少なくとも前側の凹所７ａにあっては、突出位置ダボ受け部１０を収納位置ダボ受け部９よりも下方に位置させると共に、上底面部８の突出位置ダボ受け部１０と収納位置ダボ受け部９間の部位を後側に行く程下方に位置するように傾斜した傾斜面１１とすることも好ましい。このように前側の凹所７ａの上底面部８の突出位置ダボ受け部１０と収納位置ダボ受け部９間の部位を後側に行く程下方に位置するように傾斜した傾斜面１１とすることで、棚板２をわずかな力で収納位置に収納でき、また棚板２が不意に突出位置に突出することを防止できる。
【発明の効果】
【０００９】
本発明では、上段の棚板に邪魔されることなく容易に収納物を出し入れでき、また棚板間の距離を収納物の高さと略同じ程度に短くすることができて収納棚の収納量を多くできる。また棚板を収納部から前方に突出した突出位置に引き出して掃除ができ、棚板の掃除を容易にできる。
【発明を実施するための最良の形態】
【００１０】
以下、本発明を添付図面に示す実施形態に基いて説明する。
【００１１】
図２に示す本例の収納棚は靴等の履物を収納する下駄箱として利用されるものであり、背板１ａ、両側板１ｂ、天板１ｃ、地板１ｄ、からなる前面が開口した箱状の収納部１と、収納部１の両内側面（両側板１ｂの内面）間に架け渡される上下複数段の棚板２とを備え、これら棚板２により収納部１内の空間を仕切って上下複数の収納空間を形成している。
【００１２】
収納部１の両内側面の各棚板２が架設される高さ位置にはダボ３ａ、３ｂを前後方向に複数設けている。図示例では収納部１の両内側面の各棚板２に対応する高さ位置の前部と後部に一つずつダボ３ａ、３ｂ設けてあり、各棚板２に対応する前側のダボ３ａと後側のダボ３ｂは同じ高さに設けている。
【００１３】
ダボ３ａ、３ｂは図４に示すように棚板２に固着される金属性の固着部４と、棚板２が載置される円筒状の載置部５を備えている。固着部４は鍔状部４ａの中央から軸部４ｂを突設すると共に軸部４ｂとは反対側に先端が尖ったピン状の差し込み部４ｃを突設してあり、軸部４ｂで前記円筒状の載置部５を回転自在に軸支している。そして固着部４の差し込み部４ｃを鍔状部４ａの差し込み部４ｃ側の面が収納部１の内側面に当たるまで収納部１の側板１ｂに差し込むことで棚板２に固着できるようになっている。なお図中６は軸部４ｂの先端に設けた載置部５が軸部４ｂから外れることを防止する鍔部４ｄである。
【００１４】
棚板２はパーティクルボードのような木質材からなり、図３（ａ）のように平面視で長方形状に形成されている。棚板２の長手方向及び短手方向の夫々は収納部１の両内側面間の距離及び収納部１の奥行きと略同じである。
【００１５】
棚板２の両側面の前記ダボ３ａ、３ｂに対応する位置には前後方向に長い凹所７ａ、７ｂを形成している。本例では棚板２の両側面の前部と後部の夫々に凹所７ａ、７ｂを形成してあり、前側に設けた凹所７ａは前側のダボ３ａを挿入するものであり、また後側に設けた凹所７ｂは後側のダボ３ｂを挿入するものである。各凹所７ａ、７ｂは下方及び外側方にのみ開口している。棚板２の前側の各凹所７ａは前後方向において同じ位置に設けてあり、また棚板２の後側の各凹所７ｂも前後方向において同じ位置に設けている。また全ての凹所７ａ、７ｂの上底面部８は前後方向に亘って水平で且つ同じ高さに形成されている。ここで各凹所７ａ、７ｂの上底面部８の前端部を収納位置ダボ受け部９とし、また後端部を突出位置ダボ受け部１０とする。
【００１６】
棚板２を収納部１に取付けるには、対応する段のダボ３ａ、３ｂの上方に配した棚板２を下方に移動して棚板２の各凹所７ａ、７ｂの下面から対応するダボ３ａ、３ｂの載置部５を挿入し、各ダボ３ａ、３ｂの載置部５上に各凹所７ａ、７ｂの上底面部８を載置する。ここで収納部１に棚板２を取付けた状態にあっては、ダボ３ａ、３ｂの鍔状部４ａの上端部が棚板２の凹所７ａ、７ｂよりも上方の側端面に近接対向し、これにより棚板２の側端面で鍔状部４ａの載置部５側の面を押さえて鍔状部４ａが内側方に向けて移動することを防止して、ダボ３ａ、３ｂが収納部１の側板１ｂから脱落することを防止している。
【００１７】
上記棚板２はダボ３ａ、３ｂの載置部５に載置されることだけで収納部１の両内側面間に架け渡されており収納部１には固定されていない。つまり各凹所７ａ、７ｂの上底面部８は前後方向に移動自在にダボ３ａ、３ｂに載置してあり、ダボ３ａ、３ｂは凹所７ａ、７ｂの上底面部８に対して凹所７ａ、７ｂの長手方向（前後方向）の全長に亘る範囲内で移動自在となっている。これにより棚板２は、各凹所７ａ、７ｂの収納位置ダボ受け部９をダボ３ａ、３ｂに載置して棚板２が収納部１内に収納された図１の実線に示す収納位置から、各凹所７ａ、７ｂの突出位置ダボ受け部１０をダボ３ａ、３ｂに載置して棚板２の前部が収納部１の前面開口１ｅよりも前方に突出した図１の破線に示す突出位置までの範囲内で出入自在となっている。
【００１８】
従って本発明にあっては、例えば収納位置にある水平な棚板２を収納部１の前面開口１ｅよりも突出した突出位置に引き出して、該棚板２に載置されている靴等の履物からなる収納物を取り出したり、またこの突出位置に配した水平な棚板２に収納物を載置し、この棚板２を後方に押し込んで棚板２を収納位置に配置して収納部１内に収納物を収納する等、収納物を棚板２間の収納空間に容易に出し入れできるようになっており、またこれにより棚板２間の距離を収納物の高さと略同じ程度に短くすることができて収納棚の収納量を多くできる。また棚板２を収納部１から前方に突出した突出位置に引き出して容易に掃除ができる。また本例では上記棚板２を載置するダボ３ａ、３ｂの固着部４に対して回転自在となった載置部５に載置してあるので、棚板２をスムーズに前後方向にスライドできる。
【００１９】
図５及び図６に本発明の収納棚の他例を示す。なお本例では図５のように突出位置に引き出された棚板２の前端が後端より下方に位置するように傾斜した姿勢となる点に特徴があり、以下の説明では図１の収納棚と同一の構成については同一の番号を付与し、重複する説明は極力省略する。
【００２０】
図６に示す本例の棚板２の前側の各凹所７ａにあっては、凹所７ａの後端部にある水平面となった突出位置ダボ受け部１０を水平面となった凹所７ａの前端部にある収納位置ダボ受け部９よりも上方に位置させてあり、また上底面部８の突出位置ダボ受け部１０と収納位置ダボ受け部９間の部位を後側に行く程上方に位置するように傾斜した傾斜面１１としている。また棚板２の後側の各凹所７ｂは図１の凹所７ｂと同様に上底面部８が前後方向に亘って水平で且つ同じ高さに形成されており、さらに前側の凹所７ａの収納位置ダボ受け部９と後側の凹所７ｂの収納位置ダボ受け部９は同じ高さに形成されている。
【００２１】
上記構成により例えば収納位置にある棚板２を前方に引き出した場合には、前側の凹所７ａにあっては上底面部８の収納位置ダボ受け部９、傾斜面１１、突出位置ダボ受け部１０がダボ３ａ、３ｂと順に載置され、また後側の凹所７ｂにあっては図３の棚板２と同様に水平な上底面部８の収納位置ダボ受け部９を設けた前端部から突出位置ダボ受け部１０を設けた後端部にかけて順に載置されることとなり、このようにして突出位置に引き出された棚板２は図５の破線で示すように前端が後端よりも下方に位置するように傾斜した姿勢となる。この場合、突出位置に配した棚板２とこの１段上の収納位置にある棚板２との間隔は図１の例と比較して大きくなり、これにより突出位置に配した棚板２に収納物をより一層容易に載置できる。また突出位置に配した棚板２は前端が後端より下方に位置するように傾斜した姿勢となるので、突出位置に棚板２を引き出す際に該棚板２が１段下の収納空間に収納した収納物に当たり難くなっており、このことはブーツ等のかかと側の背が高くなった靴をつま先側を前にして収納するような場合は特に有効である。
【００２２】
図７及び図８に本発明の収納棚の更に他例を示す。なお本例では図７のように突出位置に引き出された棚板２が収納位置の棚板２よりも下方に位置し且つ水平となるようにした点に特徴があり、以下の説明では図１の収納棚と同一の構成については同一の番号を付与し、重複する説明は極力省略する。
【００２３】
図８に示す本例の棚板２の前側及び後側の各凹所７ａ、７ｂは共に図６に示す棚板２の前側の各凹所７ａと同様の構成としている。即ち、棚板２の前側及び後側の各凹所７ａ、７ｂにあっては、凹所７ａ、７ｂの後端部にある水平面となった突出位置ダボ受け部１０を水平面となった凹所７ａの前端部にある収納位置ダボ受け部９よりも上方に位置させてあり、また上底面部８の突出位置ダボ受け部１０と収納位置ダボ受け部９間の部位を後側に行く程上方に位置するように傾斜した傾斜面１１としている。また前側の凹所７ａの収納位置ダボ受け部９と後側の凹所７ｂの収納位置ダボ受け部９の高さ、前側の凹所７ａの突出位置ダボ受け部１０と後側の凹所７ｂの突出位置ダボ受け部１０の高さを共に同じとしている。
【００２４】
上記構成により例えば収納位置にある棚板２を前方に引き出した場合には、前側及び後側の凹所７ａ、７ｂにあっては、上底面部８の収納位置ダボ受け部９、傾斜面１１、突出位置ダボ受け部１０がダボ３ａ、３ｂに順に載置されることとなり、このようにして突出位置に引き出された棚板２は図７の破線で示すように収納位置にある棚板２よりも下方に位置し、且つ水平な姿勢となる。この場合、突出位置に配した棚板２とこの１段上の収納位置にある棚板２との間隔は図１の例と比較して大きくなり、これにより突出位置に配した棚板２に収納物をより一層容易に載置できる。またこの突出位置にある棚板２は水平となるので、ブーツ等の背の高い靴等の収納物を倒れ難くできる。
【００２５】
図９及び図１０に本発明の収納棚の更に他例を示す。なお本例では図９のように突出位置に引き出された棚板２の前端が後端より上方に位置するように傾斜した姿勢となるようにした点に特徴があり、以下の説明では図１の収納棚と同一の構成については同一の番号を付与し、重複する説明は極力省略する。
【００２６】
図１０に示す本例の棚板２の前側の各凹所７ａにあっては、凹所７ａの後端部にある水平面となった突出位置ダボ受け部１０を水平面となった凹所７ａの前端部にある収納位置ダボ受け部９よりも下方に位置させてあり、また上底面部８の突出位置ダボ受け部１０と収納位置ダボ受け部９間の部位を後側に行く程下方に位置するように傾斜した傾斜面１１としている。また棚板２の後側の各凹所７ｂは上底面部８が前後方向に亘って水平で且つ同じ高さに形成されており、さらに前側の凹所７ａの収納位置ダボ受け部９と後側の凹所７ｂの収納位置ダボ受け部９は同じ高さに形成されている。
【００２７】
上記構成により例えば収納位置にある棚板２を前方に引き出した場合には、前側の凹所７ａにあっては上底面部８の収納位置ダボ受け部９、傾斜面１１、突出位置ダボ受け部１０がダボ３ａに順に載置され、また後側の凹所７ｂにあっては上底面部８の収納位置ダボ受け部９を設けた前端部から突出位置ダボ受け部１０を設けた後端部にかけて順に載置されることとなり、このようにして突出位置に引き出された棚板２は図９の破線で示すように前端が後端よりも上方に位置するように傾斜した姿勢となる。この棚板２は前側及び後側の凹所７ａ、７ｂの上底面部８の突出位置ダボ受け部１０と収納位置ダボ受け部９間の部位を後側に行く程下方に位置するように傾斜した傾斜面１１としてあるので、棚板２を収納する際に傾斜面１１をダボ３ａ、３ｂに載置している際には、棚板２には自重により棚板２が収納位置側に移動する方向に力がかかり、これにより棚板２をわずかな力で収納位置に収納できる。また棚板２を突出位置に引き出すにはやや力が必要であり、これにより振動等により棚板２が不意に突出位置に突出することを防止できる。また突出位置に配した棚板２は前端が後端より上方に位置するように傾斜した姿勢となるので、突出位置に棚板２を引き出す際に該棚板２に載置した収納物が１段上の棚板２に当たり難くなっており、このことはブーツ等のかかと側の背が高くなった靴をつま先側を前にして収納するような場合は特に有効である。
【００２８】
図１１及び図１２に本発明の収納棚の更に他例を示す。なお本例では図１１のように突出位置に引き出された棚板２が収納位置の棚板２よりも上方に位置し且つ水平となるようにした点に特徴があり、以下の説明では図１の収納棚と同一の構成については同一の番号を付与し、重複する説明は極力省略する。
【００２９】
図１２に示す本例の棚板２の前側及び後側の各凹所７ａ、７ｂは共に図９に示す棚板２の前側の各凹所７ａと同様の構成としている。即ち、棚板２の前側及び後側の各凹所７ａ、７ｂにあっては、凹所７ａ、７ｂの後端部にある水平面となった突出位置ダボ受け部１０を水平面となった凹所７ａ、７ｂの前端部にある収納位置ダボ受け部９よりも下方に位置させてあり、また上底面部８の突出位置ダボ受け部１０と収納位置ダボ受け部９間の部位を後側に行く程下方に位置するように傾斜した傾斜面１１としている。また前側の凹所７ａの収納位置ダボ受け部９と後側の凹所７ｂの収納位置ダボ受け部９の高さ、前側の凹所７ａの突出位置ダボ受け部１０と後側の凹所７ｂの突出位置ダボ受け部１０の高さを共に同じとしている。
【００３０】
上記構成により例えば収納位置にある棚板２を前方に引き出した場合には、前側及び後側の凹所７ａ、７ｂにあっては、上底面部８の収納位置ダボ受け部９、傾斜面１１、突出位置ダボ受け部１０がダボ３ａ、３ｂに順に載置されることとなり、このようにして突出位置に引き出された棚板２は図１１の破線で示すように収納位置にある棚板２よりも上方に位置し、且つ水平な姿勢となる。これにより本例でも傾斜面１１を利用して棚板２をわずかな力で収納位置に収納でき、棚板２が不意に突出位置に突出することを防止できる。また突出位置にある棚板２は水平となるので、ブーツ等の背の高い靴等の収納物を倒れ難くできる。
【００３１】
なお収納部１には上記図３、図６、図８、図１０、図１２に示す５種類の棚板２のうち、１種類の棚板２のみを取付けても良いし、複数種類の棚板２を取り付けても良い。複数種類の棚板２を取付ける場合の例としては、例えば上下２段の棚板２のうち下段の棚板２として図５の棚板２を用い、上段の棚板２として図９の棚板２を用いる等、下段の棚板２として図５又は図７の棚板２を用いると共に上段の棚板２として図９又は図１１の棚板２を用いることが挙げられる。この場合、上下の棚板２を共に突出位置に位置させた際には、上下２段の棚板２間の距離を長くでき、この際の下段の棚板２に載置された収納物を容易に取り出せる。なお複数種類の棚板２を取付ける場合の棚板２の組み合わせとしては使用形態に合わせて上記の他の組み合わせを利用しても良い。
【００３２】
また図１３の説明図に示すように上記凹所７ａ、７ｂの下面に、下方から凹所７ａ、７ｂ内にダボ３ａ、３ｂを挿入するためのダボ挿入用開口１２と、棚板２を収納位置及び突出位置に配した際におけるダボ３ａ、３ｂの下方に位置するダボ抜け防止用横片部１３を設けても良い。即ち図１３では図１の例の棚板２において、各凹所７ａ、７ｂの前端部及び後端部の下面にダボ抜け防止用横片部１３を棚板２に一体に設けてあり、各凹所７ａ、７ｂの前端部に設けたダボ抜け防止用横片部１３と後端部に設けたダボ抜け防止用横片部１３の間の開口をダボ挿入用開口１２としている。これにより棚板２が収納位置及び突出位置にある時には収納位置ダボ受け部９及び突出位置ダボ受け部１０の夫々の下方に位置するダボ抜け防止用横片部１３により各凹所７ａ、７ｂ内にあるダボ３ａ、３ｂが凹所７ａ、７ｂから抜け出ることを防止できて、棚板２がダボ３ａ、３ｂから外れることを防止できる。また棚板２を収納部１に取付ける際には、棚板２を前後方向において突出位置と収納位置の中程に配置し、該棚板２を下方に移動させることで、ダボ挿入用開口１２を介して下方から各凹所７ａ、７ｂ内に収納部１の両内側面から内側方に向けて突出したダボ３ａ、３ｂを容易に挿入でき、棚板２の収納部１への取り付けが容易になる。なお本例では図１の棚板２にダボ挿入用開口１２及びダボ抜け防止用横片部１３を設けた例を示したが、同様に図５、図７、図９、図１１の例の棚板２にダボ挿入用開口１２及びダボ抜け防止用横片部１３を設けても良いものとする。
【００３３】
また上記いずれの例においても棚板２の両側の凹所７ａ、７ｂは別々に設けてあるが、棚板２の長手方向（左右方向）の全長に亘って凹所７ａ、７ｂを形成し、該凹所７ａ、７ｂの両側端部に収納部１の両内側面に設けたダボ３ａ、３ｂを挿入しても良く、この場合、棚板２を樹脂押出成形により形成することができる。また凹所７ａ、７ｂは下方に開口している必要はなく、外側方のみに開口していても良い。また本発明は下駄箱以外に利用される収納棚に適用しても良い。
【図面の簡単な説明】
【００３４】
【図１】本発明の実施の形態の一例を示す収納棚の要部拡大側断面図である。
【図２】同上の収納棚の正面図である。
【図３】同上の棚板であり、（ａ）は側面図、（ｂ）は平面図である。
【図４】同上のダボであり、（ａ）は斜視図、（ｂ）は側面図である。
【図５】他例の収納棚の要部拡大側断面図である。
【図６】同上の棚板の側面図である。
【図７】更に他例の収納棚の要部拡大側断面図である。
【図８】同上の棚板の側面図である。
【図９】更に他例の収納棚の要部拡大側断面図である。
【図１０】同上の棚板の側面図である。
【図１１】更に他例の収納棚の要部拡大側断面図である。
【図１２】同上の棚板の側面図である。
【図１３】更に他例の収納棚の説明図である。
【図１４】従来の収納棚の説明図である。
【符号の説明】
【００３５】
１  収納部
２  棚板
３ａ  前側のダボ
３ｂ  後側のダボ
７ａ  前側の凹所
７ｂ  後側の凹所
８  上底面部
９  収納位置ダボ受け部
１０  突出位置ダボ受け部
１１  傾斜面
１２  ダボ挿入用開口
１３  ダボ抜け防止用横片部
【図１】
2007029394.tif 000003
【図２】
2007029394.tif 000004
【図３】
2007029394.tif 000005
【図４】
2007029394.tif 000006
【図５】
2007029394.tif 000007
【図６】
2007029394.tif 000008
【図７】
2007029394.tif 000009
【図８】
2007029394.tif 000010
【図９】
2007029394.tif 000011
【図１０】
2007029394.tif 000012
【図１１】
2007029394.tif 000013
【図１２】
2007029394.tif 000014
【図１３】
2007029394.tif 000015
【図１４】
2007029394.tif 000016